(57)【要約】【課題】電動機を防振ゴムを介して保持された送風装置において、電動機の周囲が空気層となるために放熱が悪化してしまうことが問題である。【解決手段】電動機１０は保持フレーム１３と１４にてモールド固定子６の外周方向から防振ゴム１５を介して挟み込んでケーシング１２に固定された構造としたことを特徴とするものであり、防振ゴム１５によりモールド固定子６から発生する熱は保持フレーム１３と１４に伝達され、保持フレーム１３と１４より放熱されることから、放熱性能の良い高出力な送風装置を提供できる。【選択図】図１
2013060860.tif 000002
【特許請求の範囲】
【請求項１】
電機子巻線を巻装した固定子鉄心と、
発熱素子を実装したプリント基板と、
前記固定子鉄心と前記プリント基板を樹脂による一体成形を行うことで外殻を形成したモールド固定子と、
前記固定子鉄心に対向して回転可能に保持され、回転軸を有する回転子よりなる電動機と、
前記回転軸に固定された羽根と、
ケーシングより構成された遠心型送風機を備えた送風装置であって、
前記電動機は、前記モールド固定子の外周方向から緩衝材を介して複数の保持フレームによって回転軸と直交する方向から挟み込んで前記ケーシングに固定する構造としたことを特徴とする送風装置。
【請求項２】
前記保持フレームは金属製としたことを特徴とする請求項１に記載の送風装置。
【請求項３】
前記緩衝材は防振用ゴムとしたことを特徴とする請求項１または２に記載の送風装置。
【請求項４】
前記緩衝材は防振用エラストマーとしたことを特徴とする請求項１または２に記載の送風装置。
【請求項５】
前記緩衝材にフィラーを含有したことを特徴とする請求項１〜４のいずれかに記載の送風装置。
【請求項６】
前記モールド固定子と前記緩衝材の間に金属部材を介在させたことを特徴とする請求項１〜５のいずれかに記載の送風装置。
【請求項７】
前記金属部材はアルミニウムを含有する合金としたことを特徴とする請求項６記載の送風装置。
【請求項８】
前記モールド固定子と前記緩衝材の間にアルミテープを貼り付け、このアルミテープは前記緩衝材に当接したことを特徴とする請求項１〜５のいずれかに記載の送風装置。
【請求項９】
前記モールド固定子の外周方向は複数の凸部を持つ構造とし、前記緩衝材のうち前記凸部に対向する部分は凹部としたことを特徴とする請求項１〜５のいずれかに記載の送風装置。
【請求項１０】
前記金属部材には、前記凸部に対向する部分に窪みを設けたことを特徴とする請求項６または７に記載の送風装置。
【請求項１１】
前記保持フレームは前記ケーシング内に位置することを特徴とする請求項１〜１０のいずれかに記載の送風装置。
【発明の詳細な説明】
【技術分野】
【０００１】
本発明は、主に換気送風機に利用される、電動機を搭載した送風装置に関するものである。
【背景技術】
【０００２】
近年、換気送風機に利用される送風装置においては、低騒音を確保した上で、高出力化、電動機の放熱性能の向上、長寿命化が求められている。
【０００３】
従来、この種の送風装置においては、電動機を軸方向より防振ゴムを介して軸受部のみを鋼板カバーで保持し、それ以外の電動機の周囲は空隙としたものが知られている。（例えば特許文献１参照）。
【０００４】
以下、その送風装置について図５を参照しながら説明する。
【０００５】
図５に示すように、電動機１０２を防振ゴム１１０を介し鋼板カバー１１２ではさみ込むことで保持する構造としていた。
【先行技術文献】
【特許文献】
【０００６】
【特許文献１】特開平１１−１６４５１２号公報
【発明の概要】
【発明が解決しようとする課題】
【０００７】
しかしながらこのような従来の送風装置によれば、騒音を低減する目的で防振ゴムを介して電動機の軸受部を保持しているために、電動機と鋼板カバーの間に空隙ができてしまい、電動機から発生した熱が伝達する経路が無く、電動機の放熱性能が悪化してしまうために、送風装置の低出力化とともに、発熱素子等構成部品の使用温度が高くなることにより寿命が短くなってしまう。
【０００８】
本発明は、このような従来の課題を解決するものであり、防振性能を悪化させることなく、電動機の放熱性能を向上するものである。
【課題を解決するための手段】
【０００９】
本発明の送風装置は上記目的を達成するために、電機子巻線を巻装した固定子鉄心と、発熱素子を実装したプリント基板と、前記固定子鉄心と前記プリント基板を樹脂による一体成形を行うことで外被を形成したモールド固定子と、前記固定子鉄心に対向して回転可能に保持され、回転軸を有する回転子よりなる電動機と、前記回転軸に固定された羽根と、ケーシングより構成された遠心型送風機を備えた送風装置であって、前記電動機は２つの保持フレームにて前記モールド固定子の外周方向から緩衝材を介して挟み込んで前記ケーシングに固定する構造としたことを特徴とするものである。
【００１０】
この手段により、前記緩衝材によって前記モールド固定子から発生する熱は前記保持フレームに伝達し、前記保持フレームより放熱されることから、放熱性能の良い高出力な送風装置が得られる。
【発明の効果】
【００１１】
本発明によれば、前記緩衝材により前記モールド固定子から発生する熱は前記保持フレームに伝達するため、前記保持フレームより放熱されるので、放熱性能の良い高出力な送風装置を提供できる。
【図面の簡単な説明】
【００１２】
【図１】本発明の実施の形態１の送風装置の断面図
【図２】本発明の実施の形態２の保持フレーム近傍の断面図
【図３】本発明の実施の形態３の保持フレーム近傍の断面図
【図４】本発明の実施の形態４の保持フレーム近傍の断面図
【図５】従来の送風装置の断面図
【発明を実施するための形態】
【００１３】
本発明の請求項１記載の発明は、電機子巻線を巻装した固定子鉄心と、発熱素子を実装したプリント基板と、前記固定子鉄心と前記プリント基板を樹脂による一体成形を行うことで外被を形成したモールド固定子と、前記固定子鉄心に対向して回転可能に保持され、回転軸を有する回転子よりなる電動機と、前記回転軸に固定された羽根と、ケーシングより構成された遠心型送風機を備えた送風装置であって、前記電動機は２つの保持フレームにて前記モールド固定子の外周方向から緩衝材を介して挟み込んで前記ケーシングに固定する構造としたことを特徴とするものであり、前記緩衝材により前記モールド固定子から発生する熱は前記保持フレームに伝達するため、前記保持フレームより放熱されるという作用を有する。
【００１４】
請求項２記載の発明は、前記保持フレームを金属製としたことを特徴とするものであり、前記保持フレームにおける熱の伝達が良くなるため、放熱性能を向上させられるという作用を有する。
【００１５】
請求項３記載の発明は、前記緩衝材を防振用ゴムとしたことを特徴とするものであり、前記保持フレームへの振動の伝達を効果的に防止できるという作用を有する。
【００１６】
請求項４記載の発明は、前記緩衝材を防振用エラストマーとしたことを特徴とするものであり、前記保持フレームへの振動の伝達を効果的に防止できるという作用を有する。
【００１７】
請求項５記載の発明は、前記緩衝材にフィラーを含有したことを特徴とするものであり、前記緩衝材における熱の伝達が良くなり、放熱性能を良化させるという作用を有する。
【００１８】
請求項６記載の発明は、前記モールド固定子と前記緩衝材の間に金属部材を介在させたことを特徴とするものであり、前記モールド固定子から発生する熱は金属部材を伝達し拡散されることとなり、放熱性能を良化させるという作用を有する。
【００１９】
請求項７記載の発明は、前記金属部材をアルミニウムを含有する合金としたことを特徴とするものであり、熱伝導率の良いアルミニウムを介して熱が伝達されることとなり、放熱性能を良化させるという作用を有する。
【００２０】
請求項８記載の発明は、前記モールド固定子にアルミテープを貼り付け、このアルミテープは前記緩衝材に当接したことを特徴とするものであり、前記モールド固定子へのアルミテープの密着性が高くなることとなり、放熱性能を良化させるという作用を有する。
【００２１】
請求項９記載の発明は、前記モールド固定子外周は複数の凸部を持つ構造とし、前記緩衝材のうち前記凸部に対向する部分は凹部としたことを特徴とするものであり、前記モールド固定子と前記緩衝材の接触面積を増加させることが出来るとともに、前記緩衝材の容積が大きくなり、効果的に熱を伝達させられることとなり、放熱性能を良化させるという作用を有する。
【００２２】
請求項１０記載の発明は、前記金属板の前記凸部に対向する部分には窪みを設けたことを特徴とするものであり、前記凸部と前記金属板の間の接触面積を増加させ、効果的に熱を伝達させられることとなり、放熱性能を良化させるという作用を有する。
【００２３】
請求項１１記載の発明は、前記保持フレームは前記ケーシング内に位置することを特徴とするものであり、前記保持フレームに伝達した熱は前記羽根による送風により冷却されることとなり、放熱性能を良化させるという作用を有する。
【００２４】
（実施の形態１）
図１に示すように、電動機１０は、モールド固定子６と回転子８とで構成されている。モールド固定子６は、電機子巻線１を巻装した固定子鉄心２と、発熱素子３を実装したプリント基板４を、樹脂により一体的にモールド成型したものであり、モールド樹脂５によって外殻７が形成されている。回転子８は、固定子鉄心２に対抗して回転可能に保持され、中心には回転軸９が通っている。回転軸９には羽根１１が取り付けられ、その周囲をケーシング１２により覆い遠心型送風機を構成している。電動機１０は鋼板製の保持フレーム１３、保持フレーム１４により外周方向から緩衝材であるフィラーを含有した防振ゴム１５を介して挟み込んでケーシング１２に固定されている。
【００２５】
さらに詳しく説明する。
【００２６】
固定子鉄心２は、例えば、所定の形状に打ち抜いた電磁鋼板を所定の厚さ積み上げて形成した鉄心体に絶縁体（図示せず）を介して電機子巻線１を巻装し、その上で駆動回路など発熱素子３を実装したプリント基板４とともに一体的に樹脂モールドしたものである。固定子鉄心２には、中心部に回転子孔が形成され、回転子８が挿入される。外殻７には、回転子孔の一方に、回転軸９を通して、かつ、回転軸９に取り付けられた軸受２０ａを保持するように軸受保持部２１が形成されている。一方、他端側は、回転子８を挿入した後、ブラケット２２によって、軸受２０ｂを保持するとともに、外殻７に固定されている。
【００２７】
この外殻７には、回転軸９を中心にした外周側に防振ゴム１５を巻きつけるようにして設ける。そして、さらにその外周側は、回転軸９と直交する方向から保持フレーム１３、１４によって挟み込むのである。そして、保持フレーム１３、１４には、その外周側に回転軸９と直交するように取付フランジ２３が設けられている。この取付フランジ２３によって、送風装置２５のケーシング１２に固定される。取付フランジ２３は、回転軸９に取り付けた負荷（羽根１１）とは反対側に設けている。
【００２８】
このような本発明の送風装置２５によれば、モールド固定子６から発生した熱は防振ゴム１５に伝達し、保持フレーム１３、１４に伝達されることとなる。保持フレーム１３、１４は、取付フランジ２３よりも負荷側、すなわち、ケーシング１２内側に位置しているため、羽根１１による送風により効率良く放熱される。従って、放熱性能が向上し、モールド固定子６やその他構成部品の使用時温度が低減することから高出力でかつ長寿命な送風装置を実現できる。また、防振ゴム１５にはフィラーが混ぜられているので効率良く熱を伝達できる。また、保持フレーム１３と１４は鋼板製であるので効率良く熱を伝達できる。
【００２９】
なお、実施の形態１では緩衝材を防振ゴム１５としたが、防振用エラストマーとしても作用効果に相違無く、放熱性能の良い高出力で長寿命な送風装置を実現できる。
【００３０】
なお、実施の形態１では保持フレーム１３と１４により防振ゴム１５を挟み込んだが、保持フレーム１３と１４に防振ゴム１５を圧入したとしても作用効果に相違無く、放熱性能の高い高出力で長寿命な送風装置を実現できる。
【００３１】
（実施の形態２）
図２に示すように、本発明の第２の実施の形態の送風装置は、モールド固定子６と緩衝材であるフィラーを含有した防振ゴム１５の間に金属板としてアルミ板１６を介在させる構造となっている。その他実施の形態と同一部分については図から除外し説明を省略する。
【００３２】
このような本発明の送風装置によれば、モールド固定子から発生する熱はアルミ板１６を伝達し拡散されるので、放熱性能の良い高出力で長寿命な送風装置を実現できる。
【００３３】
なお、実施の形態２ではアルミ板１６としたが、アルミテープを貼り付けるとしても同様にモールド固定子６へのアルミテープの密着性が高くなるので、放熱性能の良い高出力で長寿命な送風装置を実現できる。
【００３４】
（実施の形態３）
図３に示すように、本発明の第３の実施の形態の送風装置は、モールド固定子６の外周を複数の凸部１７とし、緩衝材であるフィラーを含有した防振ゴム１５のうち前記凸部１７に対向する部分を凹部１８とする構造となっている。その他実施の形態と同一部分については図から除外し説明を省略する。
【００３５】
このような本発明の送風装置によれば、モールド固定子６と防振ゴム１５の接触面積を増加させられることにより、伝熱面積を広くすることが出来るとともに、防振ゴム１５の容積が大きくなり、効果的に熱を伝達させられるので、放熱性能の良い高出力で長寿命な送風装置を実現できる。
【００３６】
（実施の形態４）
図４に示すように、本発明の第４の実施の形態の送風装置は、モールド固定子６と緩衝材である防振ゴム１５の間に金属板としてアルミ板１６を介在させ、モールド固定子の外周は複数の凸部１７とし、アルミ板１６のうち前記凸部１７に対向する部分は窪み１９とする構造となっている。その他実施の形態と同一部分については図から除外し説明を省略する。
【００３７】
このような本発明の送風装置によれば、凸部１７とアルミ板１６の間の接触面積を増加させることにより、伝熱面積を広くすることが出来るとともに効果的に熱を伝達させられるので、放熱性能の良い高出力で長寿命な送風装置を実現できる。
【産業上の利用可能性】
【００３８】
以上のように、本発明にかかる送風装置は、防振性能と放熱性能を兼ね揃え、高出力化及び長寿命化を実現することが要求される電気機器である換気送風機やエアコン、空気清浄機、空気調和機、除湿機、加湿機などへの搭載が有用である。
【符号の説明】
【００３９】
１      電機子巻線
２      固定子鉄心
３      発熱素子
４      プリント基板
５      モールド樹脂
６      モールド固定子
７      外殻
８      回転子
９      回転軸
１０    電動機
１１    羽根
１２    ケーシング
１３    保持フレーム
１４    保持フレーム
１５    防振ゴム
１６    アルミ板
１７    凸部
１８    凹部
１９    窪み
２０ａ  軸受
２０ｂ  軸受
２１    軸受保持部
２２    ブラケット
２３    取付フランジ
【図１】
2013060860.tif 000003
【図２】
2013060860.tif 000004
【図３】
2013060860.tif 000005
【図４】
2013060860.tif 000006
【図５】
2013060860.tif 000007